(57)【要約】【課題】照明装置の点灯状態を、ユーザ操作によって変化させる他に、外部装置からの制御要求で変化させる照明制御システムにおいて、ユーザの意に反する点灯状態の変化によって、ユーザが、照明装置が故障したかもしれないという不安を感じる事態の発生を抑制し得る照明制御システムを提供する。【解決手段】照明装置２００ａの点灯状態に係る制御である照明制御を実行する照明制御システム１０は、発生した制御要因に応じて照明制御を実行する制御部１４０と、制御部１４０により照明制御が実行されてからの経過時間を計時する計時部１３０とを備え、制御部１４０は、ユーザ操作の受け付け等の第１種の制御要因に応じて照明制御を実行してから計時部１３０により第１所定時間が計時されるまで、外部装置からの制御要求の受信等の第２種の制御要因に応じた照明制御の実行を抑止する。【選択図】図２
2018006281.tif 000002
【特許請求の範囲】
【請求項１】
照明装置の点灯状態に係る制御である照明制御を実行する照明制御システムであって、
発生した制御要因に応じて照明制御を実行する制御部と、
前記制御部により照明制御が実行されてからの経過時間を計時する計時部とを備え、
前記制御部は、第１種の制御要因に応じて照明制御を実行してから前記計時部により第１所定時間が計時されるまで、前記第１種の制御要因と異なる第２種の制御要因に応じた照明制御の実行を抑止する
照明制御システム。
【請求項２】
前記制御部は、前記第１種の制御要因に応じて照明制御を実行してから前記計時部により前記第１所定時間が計時されるまでに前記第２種の制御要因が発生した場合には、前記第１所定時間が計時された際に前記第２種の制御要因に応じた照明制御を実行する
請求項１記載の照明制御システム。
【請求項３】
前記制御部は、前記第１種の制御要因に応じて照明制御を実行してから前記計時部により前記第１所定時間が計時されるまでに前記第２種の制御要因が発生した場合において当該発生から前記第１所定時間が計時されるまでの時間が特定時間より長いときには前記第２種の制御要因に応じた照明制御を実行しない
請求項２記載の照明制御システム。
【請求項４】
前記照明制御システムは、
前記照明装置と、
ユーザインタフェース、通信インタフェース、前記制御部及び前記計時部を有する制御装置とを備え、
前記制御部は、前記ユーザインタフェース及び前記通信インタフェースのいずれかにより受けた制御要求に基づいて照明制御を実行し、
前記第１種の制御要因は、前記制御装置が前記ユーザインタフェースにより照明制御の即時実行を指示する制御要求を受けたことであり、
前記第２種の制御要因は、前記制御装置が前記通信インタフェースにより外部装置からの制御要求を受けたことである
請求項１〜３のいずれか一項に記載の照明制御システム。
【請求項５】
前記第１種の制御要因に係る前記制御要求は複数の照明制御内容のうちのいずれか１つの照明制御内容の要求を表し、
前記第１所定時間は、前記複数の照明制御内容各々について予め定められた時間のうち、前記制御装置が受けた前記第１種の制御要因に係る前記制御要求が表す照明制御内容に対応した時間である
請求項４記載の照明制御システム。
【請求項６】
前記第１種の制御要因に係る前記制御要求は、消灯状態への制御を示す照明制御内容を含む複数の照明制御内容のうちのいずれか１つの照明制御内容の要求を表し、
前記制御部は、更に、消灯状態への制御を示す照明制御内容の要求を表す前記第１種の制御要因に係る制御要求に基づいて照明制御を実行してから、当該照明制御内容以外の照明制御内容の要求を表す前記第１種の制御要因に係る制御要求に基づいて照明制御を実行するまで、前記第２種の制御要因に応じた照明制御の実行を抑止する
請求項４記載の照明制御システム。
【請求項７】
前記制御部は、前記第２種の制御要因に応じて照明制御を実行してから前記計時部により第２所定時間が計時されるまで、前記第２種の制御要因と異なる第３種の制御要因に応じた照明制御の実行を抑止し、
前記第３種の制御要因は、前記制御装置が前記ユーザインタフェースにより照明制御の指定時刻における実行を指示する制御要求を受けた後に、当該指定時刻が到来したことである
請求項４〜６のいずれか一項に記載の照明制御システム。
【請求項８】
前記照明制御システムは、
前記照明装置と、
ユーザインタフェース、通信インタフェース、前記制御部及び前記計時部を有する制御装置とを備え、
前記制御部は、前記ユーザインタフェース及び前記通信インタフェースのいずれかにより受けた制御要求に基づいて照明制御を実行し、
前記第１種の制御要因は、前記制御装置が前記通信インタフェースにより外部装置からの制御要求を受けたことであり、
前記第２種の制御要因は、前記制御装置が前記ユーザインタフェースにより照明制御の指定時刻における実行を指示する制御要求を受けた後に、当該指定時刻が到来したことである
請求項１〜３のいずれか一項に記載の照明制御システム。
【請求項９】
前記第１所定時間は、前記制御装置が前記通信インタフェースにより前記外部装置から受けた前記制御要求に付されていた時間情報が示す時間である
請求項８記載の照明制御システム。
【請求項１０】
前記照明制御システムは、
前記照明装置と、
通信インタフェース、前記制御部及び前記計時部を有する制御装置とを備え、
前記制御部は、前記通信インタフェースにより受けた制御要求に基づいて照明制御を実行し、
前記第１種の制御要因は、前記制御装置が前記通信インタフェースにより前記照明制御システム内の装置から照明制御の即時実行を指示する制御要求を受けたことであり、
前記第２種の制御要因は、前記制御装置が前記通信インタフェースにより前記照明制御システム外の外部装置からの制御要求を受けたことである
請求項１〜３のいずれか一項に記載の照明制御システム。
【請求項１１】
前記制御部は、前記第２種の制御要因に応じて照明制御を実行してから前記計時部により第２所定時間が計時されるまで、前記第２種の制御要因と異なる第３種の制御要因に応じた照明制御の実行を抑止し、
前記第３種の制御要因は、前記制御装置が前記通信インタフェースにより前記照明制御システム内の装置から照明制御の指定時刻における実行を指示する制御要求を受けた後に、当該指定時刻が到来したことである
請求項１０記載の照明制御システム。
【請求項１２】
照明装置の点灯状態に係る制御である照明制御のための照明制御方法であって、
発生した第１種の制御要因に応じて照明制御を実行する第１制御ステップと、
前記第１制御ステップで照明制御を実行してから第１所定時間が経過するまでに発生した前記第１種の制御要因と異なる第２種の制御要因に応じた照明制御の実行を当該第１所定時間が経過するまで抑止し、当該第１所定時間が経過した際に一定条件下で当該第２種の制御要因に応じた照明制御を実行する第２制御ステップとを含む
照明制御方法。
【請求項１３】
マイクロプロセッサを備える制御装置に、照明装置の点灯状態に係る制御である照明制御のための照明制御処理を実行させるための制御プログラムであって、
前記照明制御処理は、
発生した第１種の制御要因に応じて照明制御を実行する第１制御ステップと、
前記第１制御ステップで照明制御を実行してから第１所定時間が経過するまでに発生した前記第１種の制御要因と異なる第２種の制御要因に応じた照明制御の実行を当該第１所定時間が経過するまで抑止し、当該第１所定時間が経過した際に一定条件下で当該第２種の制御要因に応じた照明制御を実行する第２制御ステップとを含む
制御プログラム。
【発明の詳細な説明】
【技術分野】
【０００１】
本発明は、照明装置を制御する照明制御システム、並びに、この照明制御システムで用いられる照明制御方法、及び、制御プログラムに関する。
【背景技術】
【０００２】
従来、ユーザによるリモコン操作等により複数の照明負荷の調光制御を集中的に行う照明制御システムが知られている（例えば、特許文献１参照）。特許文献１の技術では、各照明負荷の点灯状態（明るさの強さである調光度等）を、シーンの切り替え操作で変更できる。また、照明制御技術として、火災等が検知された場合に感知器内の照明装置を、感知器の外部から遠隔制御して点灯させる技術が知られている（例えば、特許文献２参照）。
【先行技術文献】
【特許文献】
【０００３】
【特許文献１】特開２００２−３６７７８８号公報
【特許文献２】特開２０１３−０６９３３３号公報
【発明の概要】
【発明が解決しようとする課題】
【０００４】
照明制御システムにおいて、照明装置の点灯状態が、照明制御システム外の外部装置からの制御要求（例えばエネルギー管理システムの装置からの電力消費抑制のための制御要求等）を受けることによって変化し得るようにすることは有用である。しかし、照明装置の点灯状態が、ユーザ操作によって変化する他に、外部装置からの制御要求を受けることによって変化することにより、次のような弊害も発生する。例えば、ユーザ操作によって照明装置が最も明るい全点灯状態に変化した直後に、外部装置からのエネルギー消費抑制のための制御要求によって照明装置が暗い点灯状態に変化する。このとき、ユーザが、照明装置が故障したかもしれないという不安を感じるおそれがある。
【０００５】
そこで、本発明は、照明装置の点灯状態を複数の制御要因に応じて変化させ得るようにしたことにより生じる弊害を低減させ得る照明制御システムを提供することを目的とする。また、本発明は、この照明制御システムで用いられる照明制御方法、及び、制御プログラムを提供することを目的とする。
【課題を解決するための手段】
【０００６】
上記目的を達成するために本発明の一態様に係る照明制御システムは、照明装置の点灯状態に係る制御である照明制御を実行する照明制御システムであって、発生した制御要因に応じて照明制御を実行する制御部と、前記制御部により照明制御が実行されてからの経過時間を計時する計時部とを備え、前記制御部は、第１種の制御要因に応じて照明制御を実行してから前記計時部により第１所定時間が計時されるまで、前記第１種の制御要因と異なる第２種の制御要因に応じた照明制御の実行を抑止する。
【０００７】
また、上記目的を達成するために本発明の一態様に係る照明制御方法は、照明装置の点灯状態に係る制御である照明制御のための照明制御方法であって、発生した第１種の制御要因に応じて照明制御を実行する第１制御ステップと、前記第１制御ステップで照明制御を実行してから第１所定時間が経過するまでに発生した前記第１種の制御要因と異なる第２種の制御要因に応じた照明制御の実行を当該第１所定時間が経過するまで抑止し、当該第１所定時間が経過した際に一定条件下で当該第２種の制御要因に応じた照明制御を実行する第２制御ステップとを含む。
【０００８】
また、上記目的を達成するために本発明の一態様に係る制御プログラムは、マイクロプロセッサを備える制御装置に、照明装置の点灯状態に係る制御である照明制御のための照明制御処理を実行させるための制御プログラムであって、前記照明制御処理は、発生した第１種の制御要因に応じて照明制御を実行する第１制御ステップと、前記第１制御ステップで照明制御を実行してから第１所定時間が経過するまでに発生した前記第１種の制御要因と異なる第２種の制御要因に応じた照明制御の実行を当該第１所定時間が経過するまで抑止し、当該第１所定時間が経過した際に一定条件下で当該第２種の制御要因に応じた照明制御を実行する第２制御ステップとを含む。
【発明の効果】
【０００９】
本発明の一態様に係る照明制御システム等によれば、照明装置の点灯状態を複数の制御要因それぞれに応じて変化させる制御に、制御要因相互の関係に基づき一定の制限をかけたので、上述の弊害の発生が抑制され得る。
【図面の簡単な説明】
【００１０】
【図１】実施の形態１に係る照明制御システムの概略構成図である。
【図２】実施の形態１に係る照明制御システムにおける制御装置の機能ブロック図である。
【図３】実施の形態１に係る制御装置が保持する優先時間情報の一例を示す図である。
【図４】実施の形態１に係る制御装置による照明制御処理の一例を示すフローチャートである。
【図５】実施の形態１に係る照明制御システムの各装置及び外部装置の動作例１を示すシーケンス図である。
【図６】実施の形態１に係る照明制御システムの各装置及び外部装置の動作例２を示すシーケンス図である。
【図７】実施の形態２に係る制御装置による照明制御処理の一例を示すフローチャートである。
【図８】実施の形態２に係る照明制御システムの各装置及び外部装置の動作例を示すシーケンス図である。
【図９】他の実施の形態に係る照明制御システムの概略構成図である。
【発明を実施するための形態】
【００１１】
（実施の形態１）
以下、実施の形態について、図面を参照しながら説明する。ここで示す実施の形態は、いずれも本発明の一具体例を示すものである。従って、以下の実施の形態で示される数値、形状、材料、構成要素、構成要素の配置及び接続形態、並びに、ステップ（工程）及びステップの順序等は、一例であって本発明を限定するものではない。以下の実施の形態における構成要素のうち、独立請求項に記載されていない構成要素については、任意に付加可能な構成要素である。また、各図は、模式図であり、必ずしも厳密に図示されたものではない。
【００１２】
以下、本発明の一実施形態に係る照明制御システムについて説明する。
【００１３】
（構成）
図１は、本実施の形態に係る照明制御システム１０の概略構成を示す図である。照明制御システム１０は、複数の制御要因に対応して、制御要因相互の関係に基づく一定条件下で、１台又は複数台の照明装置の点灯状態を変更する照明制御（照明装置の制御）の機能を有するシステムの一例である。ここでは、住宅２０内に設置された複数の照明装置２００ａ〜２００ｃを制御するための照明制御システム１０について説明する。
【００１４】
照明制御システム１０は、図１に示すように、制御装置１００、照明装置２００ａ〜２００ｃを含んで構成される。図１では、説明の便宜上３台の照明装置２００ａ〜２００ｃを示したが、照明制御システム１０は、照明装置を、１台以上の何台含んでもよい。照明制御システム１０において照明装置２００ａ〜２００ｃを制御する制御装置１００は、照明制御システム１０以外の外部装置３０と通信可能である。
【００１５】
外部装置３０は、照明制御システム１０の外部から照明制御を要求する装置であり、例えば、住宅２０における電力等のエネルギー管理をするＨＥＭＳ（Home Energy Management System）におけるＨＥＭＳコントローラ等である。ＨＥＭＳコントローラは、例えば電力消費の抑制等のために、住宅における各種ＨＥＭＳ機器（空調機器、家電機器、発電機器、蓄電機器等）を、ＨＡＮ（Home Area Network）を介して制御する機能を有する。また、ＨＥＭＳコントローラは、例えば、住宅２０外のサーバ装置（例えば電力会社等が運用するコンピュータ等）と通信して、そのサーバ装置からの指令を受けて電力消費の抑制に係る制御を行うものであってもよい。ＨＥＭＳコントローラ等である外部装置３０は、例えば、電力消費の抑制が必要な時間帯において、照明制御システム１０の制御装置１００に対して、減光或いは消灯への照明制御等を指示する制御要求を送信し得る。
【００１６】
照明装置２００ａ〜２００ｃの各々は、通信機能を有し、照明部（光源等）の点灯状態を変化させ得る照明器具であり、例えば調光度、発光色、配光等の１つ以上を変化させ得る。光源は、例えば、１つ又は複数のＬＥＤ（Light Emitting Diode）等である。照明装置２００ａ〜２００ｃの各々は、制御情報（例えば制御コマンド、パラメータ等）を受信することによりその制御情報に従って、点灯状態を、予め定められた点灯状態或いは消灯状態へと変更する機能を有する。照明装置２００ａ〜２００ｃの各々は、形状、大きさ等において互いに異なり得る。
【００１７】
制御装置１００は、通信により照明装置２００ａ〜２００ｃを制御する機能を有するコンピュータであり、例えば、ユーザに携帯されるスマートフォン、タブレット等、或いは、据え置き型の装置等である。制御装置１００は、タイマー等の計時機構、通信インタフェース、ユーザインタフェース、メモリ及びプロセッサ（マイクロプロセッサ）等を含んで構成される。通信インタフェースは、無線通信或いは有線通信のための通信回路等である。通信インタフェースにより、制御装置１００は、外部装置３０、照明装置２００ａ〜２００ｃ等と通信可能である。制御装置１００と外部装置３０との通信に用いる通信プロトコルは、制御装置１００と照明装置２００ａ〜２００ｃとの通信に用いる通信プロトコルと同一のものであっても異なるものであってもよい。制御装置１００は照明装置２００ａ〜２００ｃの各々と通信するために必要な情報（装置識別用の情報等）を予め保持し得る。メモリは、プログラム及びデータを予め保持しているＲＯＭ、プログラムの実行に際してデータ等の記憶に利用するためのＲＡＭ等であり、例えば不揮発性メモリを含んでいてもよい。なお、制御装置１００は、メモリの他にハードディスク装置等の記憶装置を含んでもよい。プロセッサは、メモリに格納されたプログラム（制御プログラム）を実行することにより通信インタフェース等を制御して、照明制御処理等といった各種処理を行う。制御装置１００のユーザインタフェースは、例えば、ユーザ操作を受け付ける等のための入力装置（タッチパネル、キーボード、或いは、音声入力装置等）であり、また、制御装置１００はユーザインタフェースとしてディスプレイを有してもよい。
【００１８】
制御装置１００は、照明制御の制御要因（つまり照明制御の契機となり得る事象）に応じて、照明装置２００ａ〜２００ｃの各々に対して制御情報（例えば制御コマンド、パラメータ等）を送信することで各照明装置の点灯状態を変更する照明制御の機能を有する。照明制御は、ユーザによる制御要求（ユーザ操作）に基づいて或いは外部装置３０から受信した制御要求に基づいて、行われる。照明制御には、一例としては、各種生活シーンに対応して予め定められた照明装置の点灯状態を予め定められたシーン用点灯状態に変更するシーン制御と、１台の照明装置に対して個別に点灯状態を変更する個別制御とがある。シーン用点灯状態は、例えば食事シーン用点灯状態、癒しシーン用点灯状態等である。制御要求は、照明装置の点灯状態（例えば調光度、発光色、配光等）をどのように変更するかという照明制御内容を制御装置１００が特定するために必要な情報を含む。また、制御要求は、個別制御の場合において制御対象の照明装置の識別用の情報等を含み得る。この制御要求に基づいて制御装置１００は、照明制御の対象及び照明制御内容を特定して、必要な制御情報（制御コマンド、パラメータ、シーン番号等）を照明装置２００ａ〜２００ｃの１台以上に対して送信可能となる。また、制御装置１００での照明制御の制御要因は、例えば次の３種に大別される。１つ目の制御要因（制御要因Ａと称する）は、ユーザ操作に基づく照明制御の即時実行を指示する制御要求を受領したことである。２つ目の制御要因（制御要因Ｂと称する）は、外部装置３０から送信された制御要求（照明制御の実行を指示する制御要求）を受領したことである。３つ目の制御要因（制御要因Ｃと称する）は、ユーザによる照明制御の指定時刻における実行を指示する制御要求を受領した後にその指定時刻が到来したことである。制御要因Ｃについては、照明制御の都度、ユーザが時刻指定をしてもよいし、時刻の変更が必要なときだけにユーザが時刻指定をしてもよい。例えばユーザが一度、指定時刻について設定する操作（言わばタイマー設定の操作）をしたことで、毎日、タイマー（指定時刻タイマーと称する）によりその指定時刻に制御要因Ｃが生じて、照明制御が実行され得る。制御装置１００は、照明制御処理（照明制御のための処理）を実行し、照明制御処理においては、発生した制御要因の種類によって一定条件下で、制御要因の基礎となる制御要求に基づく照明制御を、一定時間、抑止する。
【００１９】
図２は、制御装置１００の機能ブロック図である。
【００２０】
制御装置１００は、照明制御の機能に関連する構成要素として、図２に示すように、ユーザインタフェース１１０、通信インタフェース１２０、計時部１３０、制御部１４０及び記憶部１５０を備える。照明制御は、ユーザインタフェース１１０、通信インタフェース１２０及び計時部１３０と連携した制御部１４０が、記憶部１５０の記憶内容を参照して実行する。
【００２１】
ユーザインタフェース１１０は、コンピュータである制御装置１００が備える上述の入力装置等であり、例えばタッチパネルにＧＵＩ（Graphical User Interface）を形成することで、ユーザ操作を受け付ける。通信インタフェース１２０は上述の通信回路等である。
【００２２】
計時部１３０は、制御プログラムを実行するプロセッサとタイマー等の計時機構とにより実現される。計時部１３０は、制御部１４０により照明制御が実行されてからの経過時間を計時する機能を有する。また、計時部１３０は、毎日、指定時刻タイマーに設定された指定時刻が到来する毎に、時刻の到来（制御要因Ｃの発生）を制御部１４０に通知する機能を有する。
【００２３】
記憶部１５０は、制御装置１００が備えるメモリ、ハードディスク装置等の記憶媒体の一領域で実現され、優先時間情報を保持している。図３は、優先時間情報の一例を示す図である。同図に示すように、優先時間情報は、照明制御内容と優先時間とを対応付けた情報である。優先時間情報における優先時間は、その優先時間に対応する照明制御内容による照明制御の実行結果としての状態（照明装置の点灯状態）を優先的に維持すべき時間を示す。この優先時間は、制御要因Ｂに応じた照明制御に対して、制御要因Ａに応じた照明制御結果の維持を優先するために用いられる。図３の例では、消灯という照明制御内容について優先時間を無限大としている。これは、ユーザ操作（制御要因Ａ）により照明制御内容が消灯である照明制御が行われると、無限に、外部装置３０からの制御要求（制御要因Ｂ）に応じた照明制御が実行されないことを意味する。但し、ここでの無限は、ユーザ操作による点灯等といった、消灯以外の照明制御内容での照明制御がなされるまでの間である。これは、就眠等のためにユーザが消灯した場合において外部装置により点灯されることを防止するために有用である。
【００２４】
制御部１４０は、制御プログラムを実行するプロセッサにより実現される。制御部１４０は、記憶部１５０が保持する優先時間情報を参照する等により、発生した制御要因に応じて照明制御を実行する機能を有する。制御部１４０は、制御要求に基づいて照明装置２００ａ〜２００ｃのうち照明制御の対象となる１台又は複数台の照明装置を特定し、制御要因の基礎となる制御要求に基づいて照明制御内容を特定する。そして、その照明制御内容に従った制御情報を特定した照明装置に送信することで、照明制御を実行する。優先時間情報（図３参照）における優先時間の間、制御部１４０は、ユーザ操作に係る制御要因Ａに応じた照明制御の結果の点灯状態の維持を、外部装置３０からの制御要求に係る制御要因Ｂに応じた照明制御（点灯状態の変更）より優先する。即ち、制御部１４０は、ユーザによる制御要求に係る制御要因Ａに応じてその制御要求に基づく照明制御内容で照明制御を実行してから、計時部１３０により照明制御内容に対応した優先時間が計時されるまで、外部装置３０からの制御要求を受信しても（つまり制御要因Ｂが生じても）、その制御要因Ｂに応じた照明制御の実行を抑止する。この抑止の対象とした、制御要因Ｂに応じた照明制御を、制御部１４０は、優先時間が計時された際に（つまり制御要因Ａに応じた照明制御がなされてから優先時間が経過した際に）、実行する。また、制御部１４０は、外部装置３０からの制御要求に係る制御要因Ｂに応じた照明制御の結果の点灯状態の維持を、指定時刻タイマーによる制御要因Ｃに応じた照明制御（点灯状態の変更）より優先する。即ち、制御部１４０は、外部装置３０による制御要求に係る制御要因Ｂに応じてその制御要求に基づく照明制御内容で照明制御を実行してから、計時部１３０により所定時間Ｔが計時されるまで、指定時刻タイマーに設定された照明制御を行うべき指定時刻が到来しても（つまり制御要因Ｃが生じても）、その制御要因Ｃに応じた照明制御の実行を抑止する。この所定時間Ｔは、予め固定的に定められていてもよいが、例えば、外部装置３０が制御要求に付随して送信した、優先時間を示す情報により特定されるものとしてもよい。抑止の対象とした制御要因Ｃに応じた照明制御を、制御部１４０は、所定時間Ｔが計時された際に（つまり制御要因Ｂに応じた照明制御がなされてから所定時間Ｔが経過した際に）、実行する。
【００２５】
（動作）
以下、上述の構成を備える照明制御システム１０の動作例について、制御装置１００の動作を中心に説明する。
【００２６】
図４は、制御装置１００による照明制御処理の一例を示すフローチャートである。以下、図４に即して照明制御処理を説明する。なお、説明の便宜上、計時部１３０は、制御要因Ａに応じた照明制御が実行された時に制御部１４０が時間を設定する優先タイマーＡと、制御要因Ｂに応じた照明制御が実行された時に制御部１４０が時間を設定する優先タイマーＢとを含むものとして説明する。優先タイマーＡ及び優先タイマーＢの各々は、時間が設定されて起動されると、設定された時間が経過するまで作動して、設定された時間が経過した時に、設定された時間が満了したとして作動を終える。また、外部装置３０は、住宅２０における電力消費の抑制が必要となったと判断した際に、照明装置２００ａ〜２００ｃの減光を指示する制御要求を、制御装置１００に対して送信するものとする。また、この送信される制御要求には、減光が継続されるべき優先時間を示す情報が付加されるものとする。
【００２７】
制御装置１００は、制御要因Ａが発生したか否かを判定する（ステップＳ１１）。制御装置１００の制御部１４０は、ユーザインタフェース１１０を介してユーザ操作に基づく照明制御の即時実行を指示する制御要求を受領すると制御要因Ａが発生したと判定する。例えば、ユーザインタフェース１１０に対して、照明装置毎に予め対応付けた番号のＧＵＩボタンの操作と調光度を増加又は減少させるＧＵＩボタンの操作とにより、ユーザは個々の照明装置の制御内容を指定可能である。また、例えば、シーン毎のシーン番号に対応する番号のＧＵＩボタンの操作により、ユーザは、シーンに対応して予め定められた照明装置の一括制御を指定可能である。制御装置１００では、ユーザインタフェース１１０に対してなされた、照明制御内容等を指定するユーザ操作が、制御要求として扱われる。
【００２８】
ステップＳ１１で制御要因Ａが発生したと判定した場合には、制御部１４０は、ユーザインタフェース１１０から受領した制御要求に基づき制御対象の照明装置と照明制御内容とを特定して、照明制御を実行する（ステップＳ１２）。ステップＳ１２での照明制御により、制御対象の照明装置に対して制御装置１００から照明制御内容に対応した制御情報（制御コマンド、パラメータ等）が送信される。これにより、その照明装置は制御情報に従って点灯状態を変更する。
【００２９】
ステップＳ１２での照明制御に続いて、制御部１４０は、ステップＳ１２で特定した照明制御内容に対応する優先時間（図３参照）を特定する（ステップＳ１３）。そして、その特定した優先時間を、計時部１３０の優先タイマーＡに設定して優先タイマーＡを起動する（ステップＳ１４）。これにより、計時部１３０では、優先タイマーＡが作動する。優先タイマーＡは、設定された優先時間だけ作動すると、満了して停止する。
【００３０】
ステップＳ１１で制御要因Ａが発生していないと判定した場合には、制御装置１００は、ステップＳ１２〜Ｓ１４をスキップして、ステップＳ１５に進む。
【００３１】
ステップＳ１４の後、或いは、ステップＳ１１で制御要因Ａが発生していないと判定した場合において、制御装置１００は、制御要因Ｂが発生したか否かを判定する（ステップＳ１５）。制御装置１００の制御部１４０は、通信インタフェース１２０を介して外部装置３０からの制御要求を受信すると制御要因Ｂが発生したと判定する。
【００３２】
ステップＳ１５で制御要因Ｂが発生したと判定した場合には、制御部１４０は、優先タイマーＡが作動中であるか否かを判定する（ステップＳ１６）。
【００３３】
ステップＳ１６で優先タイマーＡが作動中でないと判定した場合に、制御部１４０は、通信インタフェース１２０が受信した、外部装置３０からの、減光を指示する制御要求に基づき、例えば調光度５０％以下にする等と照明制御内容を特定して、照明制御を実行する（ステップＳ１８）。ステップＳ１８での照明制御により、例えば照明装置２００ａ〜２００ｃの各々に対して制御装置１００から、照明制御内容に対応した制御情報（制御コマンド、パラメータ等）が送信される。これにより、照明装置２００ａ〜２００ｃは制御情報に従って点灯状態を変更する。
【００３４】
ステップＳ１８での照明制御に続いて、制御部１４０は、外部装置３０から制御要求に付随して送信された優先時間を示す情報に基づいて特定した所定時間Ｔ（優先時間）を、計時部１３０の優先タイマーＢに設定して優先タイマーＢを起動する（ステップＳ１９）。これにより、計時部１３０では、優先タイマーＢが作動する。優先タイマーＢは、設定された所定時間Ｔ（優先時間）だけ作動すると、所定時間Ｔの満了により停止する。
【００３５】
ステップＳ１６において優先タイマーＡが作動中であると判定した場合には、制御部１４０は、外部装置３０からの、減光を指示する制御要求に基づき、優先タイマーＡの満了後に、制御要因Ｂとみなせる事象を発生させるよう予約する（ステップＳ１７）。即ち、制御部１４０は、この予約として、例えば、メモリ等の記憶媒体に制御要求に関する情報を一時的に記憶しておき、その後において優先タイマーＡに係る設定時間が満了した際に、制御部１４０がその制御要求により制御要因Ｂが発生したとして取り扱う。従って、優先タイマーＡの満了後において、制御部１４０により、ステップＳ１８での照明制御、及び、ステップＳ１９での優先タイマーＢの起動が、実行されることになる。
【００３６】
また、ステップＳ１７又はステップＳ１９の後、或いは、ステップＳ１５で制御要因Ｂが発生していないと判定した場合において、制御装置１００は、制御要因Ｃが発生したか否かを判定する（ステップＳ２０）。制御装置１００の制御部１４０は、指定時刻タイマーに設定された照明制御を行うべき指定時刻が到来した時に、制御要因Ｃが発生したと判定する。例えば、ユーザインタフェース１１０に対して、ユーザがＧＵＩボタンの操作により照明装置の制御内容を指定し、更に、時刻指定用のＧＵＩを操作して、照明制御が実行されるべき時刻（指定時刻）を指定する。制御装置１００では、ユーザインタフェース１１０に対してなされた、制御対象の照明装置及び照明制御内容を指定するユーザ操作を、制御要求として扱い、例えば毎日、指定時刻の到来を制御部１４０に通知するように、指定時刻タイマーを設定する。
【００３７】
ステップＳ２０で制御要因Ｃが発生したと判定した場合には、制御部１４０は、優先タイマーＢが作動中であるか否かを判定する（ステップＳ２１）。
【００３８】
ステップＳ２１において優先タイマーＢが作動中でないと判定した場合には、制御部１４０は、指定時刻タイマーの設定の基礎となった、ユーザ操作である制御要求が示す照明制御内容等に基づいて照明制御を実行する（ステップＳ２３）。ステップＳ２３での照明制御により、例えば、照明装置２００ａ〜２００ｃのうち制御要求が示す１台又は複数台の照明装置に対して制御装置１００から、照明制御内容に対応した制御情報（制御コマンド、パラメータ等）が送信される。この制御情報を受信した照明装置は、制御情報に従って点灯状態を変更する。
【００３９】
ステップＳ２１において優先タイマーＢが作動中であると判定した場合には、制御部１４０は、制御要因Ｃに係る制御要求に基づき、優先タイマーＢの満了後に、制御要因Ｃとみなせる事象を発生させるよう予約する（ステップＳ２２）。即ち、制御部１４０は、この予約として、例えば、メモリ等の記憶媒体に制御要求に関する情報を一時的に記憶しておき、その後において優先タイマーＢに係る設定時間が満了した際に、制御部１４０がその制御要求により制御要因Ｃが発生したとして取り扱う。従って、優先タイマーＢの満了後において、制御部１４０により、ステップＳ２３での照明制御が、実行されることになる。
【００４０】
また、ステップＳ２２又はステップＳ２３の後、或いは、ステップＳ２１で制御要因Ｃが発生していないと判定した場合において、制御装置１００は、再びステップＳ１１に戻って、制御要因Ａが発生したか否かを判定する。
【００４１】
以下、上述の動作を行う照明制御システム１０に関連する各装置の連携動作の例について説明する。
【００４２】
図５は、照明制御システム１０の各装置及び外部装置３０の動作例１を示すシーケンス図である。同図では、照明装置２００ａ〜２００ｃのうち代表的に照明装置２００ａのみを示している。
【００４３】
図５の例では、まず、ユーザは食事をしようとして、照明装置２００ａ等を食事シーンに対応したシーン用点灯状態へと変更させるために、制御装置１００の操作（例えば食事シーンのシーン番号等の指定の操作）を行う。ユーザ操作がなされると、その操作による制御要求を制御装置１００が受け付ける（ステップＳ１０１）。ここでは、このユーザ操作に係る制御要求が、指定時刻が定められていない即時実行の指示に係る制御要求であるものとして説明を続ける。制御装置１００は、ステップＳ１０１での制御要求の受け付けを、制御要因Ａが発生したものとして取り扱う。そして、制御装置１００は、ステップＳ１０１で受け付けた制御要求に基づいて、食事シーンに対応したシーン用点灯状態へ変更させるための制御情報を照明装置２００ａに送信することで照明制御を実行する（ステップＳ１０２）。この制御情報は、食事シーンに対応した照明装置２００ａのシーン用点灯状態が調光度７０％の状態であるとすると、例えば、調光度７０％で点灯することを指示する制御コマンド、パラメータ等を含むものとなる。なお、制御情報が、シーン番号等を示す情報であって、照明装置２００ａ側でシーン番号に基づいて点灯状態を特定して点灯するようにしてもよい。なお、食事シーン等の各種生活シーンと各照明装置のそのシーンに対応するシーン用点灯状態とは、ユーザにより設定され、随時変更可能であることとしてもよい。制御情報を受信した照明装置２００ａは、点灯状態を、食事シーンに対応したシーン用点灯状態へと変更する（ステップＳ１０３）。
【００４４】
続いて、制御装置１００は、制御要因Ａに応じて食事シーンに対応した照明制御を行ったので、優先時間情報（図３参照）に基づいて、食事シーンに対応した優先時間（３０分）を設定して優先タイマーＡを起動する（ステップＳ１０４）。
【００４５】
優先タイマーＡを起動した直後に、外部装置３０が、電力消費の抑制（省エネ）のために減光を指示する制御要求を送信したものとして説明を続ける。制御装置１００は、外部装置３０からの制御要求を受信すると（ステップＳ１０５）、この制御要求の受信を制御要因Ｂが発生したものとして取り扱う。そして、優先タイマーＡの作動中に制御要因Ｂが発生したので、制御要因Ｂに応じた照明制御の実行は優先タイマーＡが停止（優先時間が満了）するまで抑止される。この抑止により、ユーザが操作して、食事シーンに対応したシーン用点灯状態にさせた照明装置２００ａ等の点灯状態が、直ちに外部装置３０からの制御要求で変更されるのではなく、優先時間（３０分）の間維持されるようになる。即ち、ユーザの操作直後に照明装置２００ａが、ユーザの意図しない点灯状態に変化することが抑制される。このため、ユーザの操作直後に照明装置２００ａがユーザの意図しない点灯状態に変化して照明装置２００ａが故障したとユーザが不安に感じてしまう事態の発生が抑制され得る。
【００４６】
その後に優先タイマーＡに設定された優先時間が満了した際（制御要因Ａに応じた照明制御から優先時間が経過した際）には、制御装置１００は、制御要因Ｂに応じた照明制御を行う。つまり、制御装置１００は、省エネのための制御要求に基づく照明制御内容（例えば調光度５０％等）に対応した制御情報を照明装置２００ａに送信することで照明制御を実行する（ステップＳ１０６）。この制御情報は、例えば照明装置２００ａの点灯状態を調光度５０％の状態にすることを指示する制御コマンド、パラメータ等を含むものとなる。制御情報を受信した照明装置２００ａは、点灯状態を、省エネのための制御情報に対応した調光度５０％等の状態へと変更する（ステップＳ１０７）。
【００４７】
図６は、照明制御システム１０の各装置及び外部装置３０の動作例２を示すシーケンス図である。同図でも、照明装置２００ａ〜２００ｃのうち代表的に照明装置２００ａのみを示している。
【００４８】
図６の例では、ユーザが、毎日の指定時刻（例えば１８時）に照明装置２００ａ等を食事シーンに対応したシーン用点灯状態へと変更させるために、制御装置１００の操作（例えば指定時刻及び食事シーンのシーン番号等の指定の操作）を行う。ユーザ操作がなされると、その操作による制御要求を制御装置１００が受け付ける（ステップＳ２０１）。ここでは、このユーザ操作に係る制御要求が、指定時刻が定められた指示に係る制御要求であるものとして説明を続ける。制御装置１００は、ステップＳ２０１での制御要求の受け付けに基づいて、指定時刻タイマーに指定時刻を設定する（ステップＳ２０２）。これにより、指定時刻が到来した時に制御要因Ｃが発生することになる。
【００４９】
ここでは、指定時刻の到来前であって、優先タイマーＡが停止している時（例えば１７時１０分）に、外部装置３０が、省エネのために減光を指示する制御要求を送信したものとして説明を続ける。
【００５０】
制御装置１００は、外部装置３０からの制御要求を受信すると（ステップＳ２０３）、この制御要求の受信を制御要因Ｂが発生したものとして取り扱う。優先タイマーＡが作動中でない時に制御要因Ｂが発生したので、制御装置１００は、制御要因Ｂに応じた照明制御を実行する（ステップＳ２０４）。具体的には、制御装置１００は、省エネのための制御要求に基づく照明制御内容（例えば調光度５０％等）に対応した制御情報を照明装置２００ａに送信することで制御要因Ｂに応じた照明制御を実行する。この制御情報は、例えば照明装置２００ａの点灯状態を調光度５０％の状態にすることを指示する制御コマンド、パラメータ等を含むものとなる。制御情報を受信した照明装置２００ａは、点灯状態を、省エネのための制御情報に対応した調光度５０％等の状態へと変更する（ステップＳ２０５）。
【００５１】
続いて、制御装置１００は、省エネのための制御要求を外部装置３０から受信することで生じた制御要因Ｂに応じて照明制御を行ったので、優先時間を設定して優先タイマーＢを起動する（ステップＳ２０６）。優先タイマーＢに設定する優先時間は、例えば、外部装置３０から受信した制御要求に付加された優先時間（例えば１時間）を示す情報に基づくものである。
【００５２】
優先タイマーＢの作動中（例えば満了前１０分の時）に、過去のユーザ操作（制御要求）に基づいて指定時刻タイマーに設定した指定時刻（例えば１８時）が到来したものとして説明を続ける。制御装置１００は、指定時刻が到来すると、制御要因Ｃが発生したものとして取り扱う。そして、優先タイマーＢが作動中に制御要因Ｃが発生したので、制御要因Ｃに応じた照明制御の実行は優先タイマーＢが停止（優先時間が満了）するまで抑止される。この抑止により、外部装置３０からの省エネのための制御要求に基づいて減光状態にさせた照明装置２００ａ等の点灯状態が、指定時刻タイマーによる照明制御で変更されるのではなく、外部装置３０が指定した優先時間（例えば１時間）の間維持されるようになる。これにより、外部装置３０による省エネのための一定時間（指定された優先時間）の照明制御が実現できる。この例においては、省エネのための制御要因Ｂに応じた照明制御の結果が優先的に維持されるのは制御要因Ｃに対してであり、制御要因Ａに応じた照明制御は、制御要因Ｂによっては制限されない。例えば、省エネのための照明制御が開始された後においても、制御装置１００は、ユーザ操作による即時実行の制御要求を受け付けると、制御要因Ａが発生したと扱って、ユーザ操作に基づく照明制御を即座に実行し得る。
【００５３】
その後に優先タイマーＢに設定された優先時間が満了した際（制御要因Ｂに応じた照明制御から優先時間が経過した際）には、制御装置１００は、制御要因Ｃに応じた照明制御を実行する（ステップＳ２０７）。具体的には、制御装置１００は、食事シーンに対応したシーン用点灯状態へと変更させる照明制御内容（例えば調光度７０％等）に対応した制御情報を照明装置２００ａに送信することで制御要因Ｃに応じた照明制御を実行する。制御情報を受信した照明装置２００ａは、点灯状態を、食事シーンに対応したシーン用点灯状態へと変更する（ステップＳ２０８）。
【００５４】
（実施の形態２）
本実施の形態では、実施の形態１で示した照明制御システム１０における制御装置１００の実行する照明制御処理の一部を変形した例について説明する。本実施の形態に係る照明制御システム１０は、実施の形態１で示した照明制御システム１０と構成において概ね同じであり、外部装置３０も実施の形態１と同様であるため、各構成要素について、図１及び図２で示した構成要素と同じ符号を用いて説明する。また、本実施の形態に係る照明制御システム１０は、ここで特に説明しない点については、実施の形態１で示した照明制御システム１０と同様である。
【００５５】
但し、実施の形態１と異なり、制御装置１００は、照明制御処理においては、一定の場合に、制御要因Ｂ或いは制御要因Ｃに応じた照明制御を行わない。
【００５６】
制御部１４０は、優先タイマーＡの作動中に外部装置３０からの制御要求の受信という制御要因Ｂが生じた時点で、優先タイマーＡの残時間（つまりその時点から優先タイマーＡに設定された優先時間が満了するまでの時間）が、特定時間Ｘより長い場合には、制御要求を破棄する（つまりその制御要因Ｂに応じた照明制御を行わない）。この特定時間Ｘは、予め固定的に定められていてもよいが、例えば、外部装置３０が制御要求に付随して送信した情報（この情報は例えば優先時間を示す情報と同一の情報であってもよい。）により指定されるものとしてもよい。また、制御部１４０は、優先タイマーＢの作動中に、指定時刻タイマーに設定された指定時刻の到来という制御要因Ｃが生じた時点で、優先タイマーＢの残時間（つまりその時点から優先タイマーＢに設定された優先時間が満了するまでの時間）が、特定時間Ｙより長い場合には、その制御要因Ｃに応じた照明制御を行わない。この特定時間Ｙは、予め固定的に定められていてもよいが、例えば、制御要因Ｃの基礎となった制御要求に基づく照明制御内容毎に定められた時間であってもよい。この照明制御内容毎に定められた時間は、優先時間情報（図３参照）の優先時間と同一であるものとしてもよい。
【００５７】
以下、本実施の形態に係る照明制御システム１０の動作例について、制御装置１００の動作を中心に説明する。
【００５８】
図７は、制御装置１００による照明制御処理の一例を示すフローチャートである。以下、図７に即して照明制御処理を説明する。図７では、実施の形態１において図４で示した処理ステップと同様の処理ステップについては、図４と同じ符号を付しており、ここでは説明を適宜省略する。なお、図４に即した説明と同様に計時部１３０は、優先タイマーＡと、優先タイマーＢとを含むものとして説明する。また、外部装置３０は、住宅２０における電力消費の抑制が必要となったと判断した際に、照明装置２００ａ〜２００ｃの減光を指示する制御要求を、制御装置１００に対して送信するものとする。また、この送信される制御要求には、減光が継続されるべき優先時間と、電力消費抑制が必要な時間帯の終期までの特定時間Ｘとを示す情報が付加されるものとする。
【００５９】
制御装置１００は、制御要因Ａが発生したか否かを判定する（ステップＳ１１）。ステップＳ１１で制御要因Ａが発生したと判定した場合には、制御部１４０は、ユーザインタフェース１１０から受領した制御要求に基づき制御対象の照明装置と照明制御内容とを特定して、照明制御を実行する（ステップＳ１２）。ステップＳ１２での照明制御に続いて、制御部１４０は、優先時間を特定して（ステップＳ１３）、特定した優先時間を、計時部１３０の優先タイマーＡに設定して優先タイマーＡを起動する（ステップＳ１４）。一方、ステップＳ１１で制御要因Ａが発生していないと判定した場合には、制御装置１００は、ステップＳ１２〜Ｓ１４をスキップして、ステップＳ１５に進む。
【００６０】
次に制御装置１００の制御部１４０は、外部装置３０から制御要求を受信することで制御要因Ｂが発生したか否かを判定する（ステップＳ１５）。ステップＳ１５で制御要因Ｂが発生したと判定した場合には、制御部１４０は、優先タイマーＡが作動中であるか否かを判定する（ステップＳ１６）。ステップＳ１６において優先タイマーＡが作動中でないと判定した場合には、制御部１４０は、外部装置３０からの、減光を指示する制御要求に基づき、照明制御を実行する（ステップＳ１８）。ステップＳ１８での照明制御に続いて、制御部１４０は、外部装置３０から制御要求に付随して送信された優先時間を示す情報に基づいて特定した所定時間Ｔ（優先時間）を、計時部１３０の優先タイマーＢに設定して優先タイマーＢを起動する（ステップＳ１９）。一方、ステップＳ１６において優先タイマーＡが作動中であると判定した場合には、制御部１４０は、優先タイマーＡの残時間が、外部装置３０から制御要求に付随して送信された情報が示す特定時間Ｘより短いか否かを判定する（ステップＳ１６ａ）。
【００６１】
ステップＳ１６ａで優先タイマーＡの残時間が特定時間Ｘより短いと判定した場合には、制御部１４０は、外部装置３０からの減光を指示する制御要求に基づき、優先タイマーＡの満了後に、制御要因Ｂとみなせる事象を発生させるよう予約する（ステップＳ１７）。これにより優先タイマーＡの満了後において、制御部１４０により、ステップＳ１８での照明制御、及び、ステップＳ１９での優先タイマーＢの起動が、実行されることになる。
【００６２】
一方、ステップＳ１６ａで優先タイマーＡの残時間が特定時間Ｘより短くないと判定した場合には、制御部１４０は、外部装置３０からの、減光を指示する制御要求を破棄する（ステップＳ１７ａ）。これにより、この制御要求の受信で生じた制御要因Ｂに応じた照明制御が行われないことになる。
【００６３】
また、ステップＳ１７、ステップＳ１７ａ又はステップＳ１９の後、或いは、ステップＳ１５で制御要因Ｂが発生していないと判定した場合において、制御装置１００は、制御要因Ｃが発生したか否かを判定する（ステップＳ２０）。制御要因Ｃは、ユーザによる照明制御の時刻指定に基づいて、例えば毎日、指定時刻タイマーに設定された照明制御を行うべき指定時刻が到来した時に発生する。ステップＳ２０で制御要因Ｃが発生したと判定した場合には、制御部１４０は、優先タイマーＢが作動中であるか否かを判定する（ステップＳ２１）。ステップＳ２１において優先タイマーＢが作動中でないと判定した場合には、制御部１４０は、制御要因Ｃの指定時刻タイマーの設定の基礎となった、ユーザ操作である制御要求が示す照明制御内容等に基づいて照明制御を実行する（ステップＳ２３）。一方、ステップＳ２１において優先タイマーＢが作動中であると判定した場合には、制御部１４０は、優先タイマーＢの残時間が、特定時間Ｙ（例えば制御要因Ｃの基礎となった制御要求が示す照明制御内容に対応した優先時間情報における優先時間）より短いか否かを判定する（ステップＳ２１ａ）。
【００６４】
ステップＳ２１ａで優先タイマーＢの残時間が特定時間Ｙより短いと判定した場合には、制御部１４０は、制御要因Ｃに係る制御要求に基づき、優先タイマーＢの満了後に、制御要因Ｃとみなせる事象を発生させるよう予約する（ステップＳ２２）。これにより優先タイマーＢの満了後において、制御部１４０により、ステップＳ２３での照明制御が、実行されることになる。
【００６５】
一方、ステップＳ２１ａで優先タイマーＢの残時間が特定時間Ｙより短くないと判定した場合には、制御部１４０は、ステップＳ２２での予約をスキップして、再びステップＳ１１に戻って、制御要因Ａが発生したか否かを判定する。これにより、今回の指定時刻タイマーに設定された指定時刻が到来したこと（制御要因Ｃ）に起因する照明制御はなされない。
【００６６】
また、ステップＳ２２又はステップＳ２３の後、或いは、ステップＳ２１で制御要因Ｃが発生していないと判定した場合にも、制御装置１００は、再びステップＳ１１に戻って、制御要因Ａが発生したか否かを判定する。
【００６７】
図８は、本実施の形態に係る照明制御システム１０の各装置及び外部装置３０の動作例を示すシーケンス図である。同図では、照明装置２００ａ〜２００ｃのうち代表的に照明装置２００ａのみを示している。
【００６８】
図８の例では、実施の形態１で図６に例示した動作例と同様に、ユーザが、毎日の指定時刻（例えば１８時）に照明装置２００ａ等を食事シーンに対応したシーン用点灯状態へと変更させるために、制御装置１００の操作（例えば指定時刻及び食事シーンのシーン番号等の指定の操作）を行う。図８では、図６で示したシーケンスのステップと同様のステップについては、図６と同じ符号を付しており、ここでは説明を適宜省略する。
【００６９】
ユーザ操作がなされると、その操作による、照明制御の指定時刻が定められた制御要求を制御装置１００が受け付ける（ステップＳ２０１）。制御装置１００は、ステップＳ２０１での制御要求の受け付けに基づいて、指定時刻タイマーに指定時刻を設定する（ステップＳ２０２）。
【００７０】
ここでは、指定時刻の到来の少しだけ前であって、優先タイマーＡが停止している時（例えば１７時５０分）に、外部装置３０が、省エネのために減光を指示する制御要求を送信したものとして説明を続ける。
【００７１】
制御装置１００は、外部装置３０からの制御要求を受信する（ステップＳ２０３）。これにより、優先タイマーＡが作動中でない時に制御要因Ｂが発生したので、制御装置１００は、省エネのための制御要求に基づく制御情報を照明装置２００ａに送信することで制御要因Ｂに応じた照明制御を実行する（ステップＳ２０４）。制御情報を受信した照明装置２００ａは、点灯状態を、省エネのための制御情報に対応した状態へと変更する（ステップＳ２０５）。
【００７２】
続いて、制御装置１００は、優先時間を設定して優先タイマーＢを起動する（ステップＳ２０６）。優先タイマーＢに設定する優先時間は、例えば、外部装置３０から受信した制御要求に付加された優先時間（例えば１時間）を示す情報に基づくものである。
【００７３】
優先タイマーＢの作動中（例えば満了前５０分の時）に、過去のユーザ操作（制御要求）に基づいて指定時刻タイマーに設定した指定時刻（例えば１８時）が到来したものとして説明を続ける。制御装置１００は、指定時刻が到来すると、制御要因Ｃが発生したものとして取り扱う。この制御要因Ｃに係る制御要求により照明制御内容は食事シーンに対応したシーン用点灯状態への変更であることが特定され、優先時間情報（図３参照）においてその照明制御内容に対応する優先時間（３０分）が特定時間Ｙとして用いられる。優先タイマーＢの残時間は、５０分であり、特定時間Ｙ（３０分）より短くないので、制御装置１００は、今回の制御要因Ｃに応じた照明制御を行わない（ステップＳ２０９）。
【００７４】
これにより、例えば食事が終わった後に照明装置２００ａ〜２００ｃが食事シーンに対応したシーン用点灯状態へ変更されるような無駄な照明制御が抑制され得る。
【００７５】
（他の実施の形態等）
以上、実施の形態１、２により照明制御システム１０について説明したが、上述した実施の形態は一例に過ぎず、各種の変更、付加、省略等が可能であることは言うまでもない。
【００７６】
上述の実施の形態では、住宅２０内に設置された照明装置２００ａ〜２００ｃを制御するための照明制御システム１０を示した。しかし、これは一例に過ぎず、照明制御システム１０は、住宅２０以外の施設（店舗、事務所、病院、ビルディング、駅舎、競技場等）における照明装置を制御するために用いられるシステムであってもよい。また、外部装置３０は、必ずしもＨＥＭＳコントローラである必要はなく、照明制御システム１０以外の装置であればよい。また、外部装置３０が照明制御システム１０の制御装置１００に対して制御要求を送信する目的、タイミング或いは制御要求が指定する照明制御内容等はいかなるものであってもよい。
【００７７】
また、上述の実施の形態では、制御装置１００は、ユーザインタフェース１１０によりユーザ操作を受け付けることとした。この他に、制御装置１００は、通信インタフェース１２０を用いて、例えば、操作ボタンを有し赤外線等のリモコン信号を送信するリモコン（リモートコントローラ）等といった他の端末装置と通信することで、その端末装置を制御装置１００の入力装置として利用してもよい。このような形態の一例を図９に示す。図９に示す照明制御システム１０ａは、照明制御システム１０に加えてリモコン３００を備える。照明制御システム１０ａにおいても制御装置１００は図２に示す構成を有するが、ユーザインタフェース１１０は省略可能となる。制御装置１００では、通信インタフェース１２０が、リモコン３００からのリモコン信号を受信して、制御部１４０にユーザ操作に係る照明制御の制御要求を伝達する。なお、制御装置１００とユーザ操作を直接受ける端末装置（例えばリモコン３００）とを分離した構成とする場合において、例えば制御装置１００は照明装置２００ａ〜２００ｃの少なくとも一台と一体化していてもよい。一体化の態様は、接合、嵌合その他のいかなる態様であってもよい。例えば、制御装置１００と照明装置とが１つの筐体を共用してもよい。
【００７８】
また、上述の実施の形態では、照明制御についての制御要因を３つに大別する例（つまり制御要因Ａ〜Ｃの３種類に区別する例）を示したが、制御要因を４つ以上の種類に区別しても、２種類に区別してもよい。
【００７９】
また、上述の実施の形態で示した制御装置１００は、優先タイマーＡについての時間の情報を外部装置３０に対して出力してもよい。例えば、外部装置３０が制御要求を送信する前に制御装置１００に対して照明装置の状態の取得要求を行うこととし、これに応答して制御装置１００が、照明装置の状態を示す状態情報と優先タイマーＡについての時間とを送信することとしてもよい。
【００８０】
また、上述の実施の形態では、例えば制御要因Ａ、Ｂ間について、制御要因Ａによる照明制御の結果としての状態の維持と、制御要因Ｂによる照明制御とでは、制御要因Ａの方を優先する例を示した。しかし、制御要因間の優先関係は任意に定めてよい。また、ある種類の制御要因による照明制御の結果としての状態の維持を別の種類の制御要因による照明制御より優先する場合の優先時間について、いかなる方法で定めてもよい。
【００８１】
また、上述の実施の形態では、制御装置１００による照明制御が、点灯状態の変更指示による瞬時的な制御（例えば一度制御情報を送信する制御等）であることを想定した例を用いて説明した。しかし、一定時間（例えば図３の優先時間情報が示す優先時間）に亘って継続的に行われる制御（例えば、制御情報を、適宜変更して、優先時間に亘って繰り返し送信する制御等）であってもよい。継続的に行われる照明制御であれば、優先タイマーＡ、Ｂ等は照明制御の開始時に起動されることが有用である。
【００８２】
また、上述の実施の形態で示した制御装置１００の機能の一部を他の装置が分担してもよい。他の装置は、制御装置１００から離れたコンピュータ（例えば、住宅２０外のサーバ装置、或いは、スマートフォン等）であってもよい。また、上述の制御装置１００における照明制御処理の手順（図４、図７参照）の実行順序は、必ずしも、上述した通りの順序に制限されるものではなく、発明の要旨を逸脱しない範囲で、実行順序を入れ替えたりその一部を省略したりすることができる。また、上述の照明制御処理の全部又は一部は、制御装置１００或いは他の装置のハードウェアにより実現されても、ソフトウェアを用いて実現されてもよい。なお、ソフトウェアによる処理は、制御装置１００或いは他の装置に含まれるプロセッサがメモリに記憶された制御プログラムを実行することにより実現されるものである。また、その制御プログラムを記録媒体に記録して頒布や流通させてもよい。例えば、頒布された制御プログラムを装置にインストールして、装置のプロセッサに実行させることで、装置に照明制御処理の全部又は一部を行わせることが可能となる。
【００８３】
また、上述した実施の形態等で示した構成要素及び機能を任意に組み合わせることで実現される形態も本発明の範囲に含まれる。
【００８４】
なお、本発明の包括的又は具体的な各種態様には、装置、システム、方法、集積回路、コンピュータプログラム、コンピュータで読み取り可能な記録媒体等の１つ又は複数の組み合わせが含まれる。
【００８５】
以下、本発明の一態様に係る照明制御システム、及び、この照明制御システムで用いられる照明制御方法及び制御プログラムの構成、変形態様、効果等について示す。
【００８６】
（１）本発明の一態様に係る照明制御システムは、照明装置（例えば照明装置２００ａ〜２００ｃの少なくとも１台等）の点灯状態に係る制御である照明制御を実行する照明制御システム１０、１０ａであって、発生した制御要因に応じて照明制御を実行する制御部１４０と、制御部１４０により照明制御が実行されてからの経過時間を計時する計時部１３０とを備え、制御部１４０は、第１種の制御要因（例えば制御要求を示すユーザ操作の受け付け等）に応じて照明制御を実行してから計時部１３０により第１所定時間（優先時間）が計時されるまで、第１種の制御要因と異なる第２種の制御要因（例えば外部装置からの制御要求の受信等）に応じた照明制御の実行を抑止する。なお、照明制御を実行してから第１所定時間が計時されるまでは、例えば、照明制御の実行開始時点から所定時間が経過した時点までである。また、上述の実施の形態における制御要因Ａが第１種の制御要因であれば第２種の制御要因は例えば制御要因Ｂである。また、上述の実施の形態における制御要因Ｂが第１種の制御要因であれば第２種の制御要因は例えば制御要因Ｃである。
【００８７】
この構成により、照明装置の点灯状態を各種の制御要因に応じて変化させる照明制御に、制御要因相互の関係に基づき一定の制限をかけているので、一定の場合には、先行する制御要因による照明制御の直後に後続する制御要因による別の照明制御が実行されないようになる。これにより、例えば、ユーザ操作によって照明装置が最も明るい全点灯状態に変化した直後に、外部装置からの制御要求によって照明装置がユーザの意に反した暗い点灯状態に変化すること等が抑制され得る。このため、例えば、照明装置が故障したかもしれないという不安をユーザが感じる事態の発生が抑制され得る。
【００８８】
（２）例えば、制御部１４０は、第１種の制御要因（例えば制御要因Ａ）に応じて照明制御を実行してから計時部１３０により第１所定時間（優先時間）が計時されるまでに第２種の制御要因（例えば制御要因Ｂ）が発生した場合には、第１所定時間が計時された際に第２種の制御要因に応じた照明制御を実行することとしてもよい。
【００８９】
これにより、第１種の制御要因に応じた照明制御の結果が第１所定時間（優先時間）維持された後は、速やかに第２種の制御要因に応じた照明制御が行われるようになる。
【００９０】
（３）例えば、制御部１４０は、第１種の制御要因に応じて照明制御を実行してから計時部１３０により第１所定時間が計時されるまでに第２種の制御要因が発生した場合において、その発生から第１所定時間が計時されるまでの時間が特定時間より長いときには、第２種の制御要因に応じた照明制御を実行しないこととしてもよい。特定時間は、予め何らかの方法で特定される時間であり、例えば、上述の実施の形態における特定時間Ｘ、Ｙ等である。
【００９１】
これにより、第１種の制御要因に応じた照明制御から第１所定時間経過後に第２種の制御要因に応じた照明制御を実行することが有用でないタイミングで第２種の制御要因が生じた場合に、その第２種の制御要因に応じた照明制御を行うことを抑制し得る。
【００９２】
（４）例えば、照明制御システム１０は、照明装置（例えば照明装置２００ａ〜２００ｃの少なくとも１台等）と、ユーザインタフェース１１０、通信インタフェース１２０、制御部１４０及び計時部１３０を有する制御装置１００とを備え、制御部１４０は、ユーザインタフェース１１０及び通信インタフェース１２０のいずれかにより受けた制御要求に基づいて照明制御を実行し、第１種の制御要因は、制御装置１００がユーザインタフェース１１０により照明制御の即時実行を指示する制御要求を受けたこと（制御要因Ａ）であり、第２種の制御要因は、制御装置１００が通信インタフェース１２０により外部装置３０からの制御要求を受けたこと（制御要因Ｂ）であることとしてもよい。
【００９３】
これにより、ユーザ操作によって照明装置が最も明るい全点灯状態に変化した直後に、外部装置３０からの制御要求によって照明装置が暗い点灯状態に変化すること等が抑制され得る。このため、照明装置が故障したかもしれないという不安をユーザが感じる事態の発生が抑制され得る。なお、ユーザは外部装置３０からの制御要求によってユーザの意思と関係ない照明制御がなされ得ることを認識していたとしても、自ら操作して照明制御を行った直後にその照明制御と異なる照明制御が外部装置３０からの制御要求により実行された場合には、照明装置が故障したと勘違いし得る。
【００９４】
（５）例えば、第１種の制御要因（制御要因Ａ）に係る制御要求は複数の照明制御内容のうちのいずれか１つの照明制御内容の要求を表し、第１所定時間は、複数の照明制御内容各々について予め定められた時間（例えば図３の優先時間情報で定められた各優先時間）のうち、制御装置１００が受けた第１種の制御要因に係る制御要求が表す照明制御内容に対応した時間（優先時間）であることとしてもよい。
【００９５】
これにより、照明制御内容毎に照明制御の結果を維持すべき時間が異なり得ることに対応できる。
【００９６】
（６）例えば、第１種の制御要因（制御要因Ａ）に係る制御要求は、消灯状態への制御を示す照明制御内容を含む複数の照明制御内容のうちのいずれか１つの照明制御内容の要求を表し、制御部１４０は、更に、消灯状態への制御を示す照明制御内容の要求を表す第１種の制御要因に係る制御要求に基づいて照明制御を実行してから、その照明制御内容以外の照明制御内容の要求を表す第１種の制御要因に係る制御要求に基づいて照明制御を実行するまで、第１種の制御要因と異なる第２種の制御要因（制御要因Ｂ）に応じた照明制御の実行を抑止することとしてもよい。
【００９７】
これにより、例えば、夜間、就寝時にユーザが消灯した場合において、外部装置３０の制御要求により点灯されることが防止され得る。
【００９８】
（７）例えば、制御部１４０は、第２種の制御要因（制御要因Ｂ）に応じて照明制御を実行してから計時部１３０により第２所定時間が計時されるまで、第２種の制御要因と異なる第３種の制御要因に応じた照明制御の実行を抑止し、第３種の制御要因は、制御装置１００がユーザインタフェース１１０により照明制御の指定時刻における実行を指示する制御要求を受けた後に、その指定時刻が到来したこと（制御要因Ｃ）であることとしてもよい。
【００９９】
これにより、例えば、ＨＥＭＳコントローラ等であり得る外部装置３０から、省エネのための制御要求が発された場合において、その直後に照明制御システム１０においてタイマー制御により自動的に指定時刻に、省エネに反する照明制御がなされることが抑制され得る。
【０１００】
（８）例えば、照明制御システム１０は、照明装置（例えば照明装置２００ａ〜２００ｃの少なくとも１台等）と、ユーザインタフェース１１０、通信インタフェース１２０、制御部１４０及び計時部１３０を有する制御装置１００とを備え、制御部１４０は、ユーザインタフェース１１０及び通信インタフェース１２０のいずれかにより受けた制御要求に基づいて照明制御を実行し、第１種の制御要因は、制御装置１００が通信インタフェース１２０により外部装置３０からの制御要求を受けたこと（制御要因Ｂ）であり、第２種の制御要因は、制御装置１００がユーザインタフェース１１０により照明制御の指定時刻における実行を指示する制御要求を受けた後に、その指定時刻が到来したこと（制御要因Ｃ）であることとしてもよい。
【０１０１】
これにより、例えば、ＨＥＭＳコントローラ等であり得る外部装置３０から、省エネのための制御要求が発された場合において、その直後に照明制御システム１０においてタイマー制御により自動的に指定時刻に、省エネに反する照明制御がなされることが抑制され得る。
【０１０２】
（９）例えば、第１所定時間は、制御装置１００が通信インタフェース１２０により外部装置３０から受けた制御要求に付されていた時間情報が示す時間であることとしてもよい。
【０１０３】
これにより、外部装置３０は、照明制御の制御要求に関連してその照明制御が維持されるべき優先時間を指定し得るようになる。
【０１０４】
（１０）例えば、照明制御システム１０ａは、照明装置（例えば照明装置２００ａ〜２００ｃの少なくとも１台等）と、通信インタフェース１２０、制御部１４０及び計時部１３０を有する制御装置１００とを備え、制御部１４０は、通信インタフェース１２０により受けた制御要求に基づいて照明制御を実行し、第１種の制御要因は、制御装置１００が通信インタフェース１２０により照明制御システム１０ａ内の装置（例えばリモコン３００）から照明制御の即時実行を指示する制御要求を受けたこと（制御要因Ａ）であり、第２種の制御要因は、制御装置１００が通信インタフェース１２０により照明制御システム１０ａ外の外部装置３０からの制御要求を受けたこと（制御要因Ｂ）であることとしてもよい。
【０１０５】
これにより、リモコン３００等の照明制御システム１０ａ内の装置に対するユーザ操作を起因として照明装置が最も明るい全点灯状態に変化した直後に、外部装置３０からの制御要求によって照明装置が暗い点灯状態に変化すること等が抑制され得る。このため、照明装置が故障したかもしれないという不安をユーザが感じる事態の発生が抑制され得る。
【０１０６】
（１１）例えば、制御部１４０は、第２種の制御要因（制御要因Ｂ）に応じて照明制御を実行してから計時部１３０により第２所定時間が計時されるまで、第２種の制御要因と異なる第３種の制御要因に応じた照明制御の実行を抑止し、第３種の制御要因は、制御装置１００が通信インタフェース１２０により照明制御システム１０ａ内の装置（例えばリモコン３００）から照明制御の指定時刻における実行を指示する制御要求を受けた後に、その指定時刻が到来したこと（制御要因Ｃ）であることとしてもよい。
【０１０７】
これにより、例えば、外部装置３０から、省エネのための制御要求が発された場合において、その直後に照明制御システム１０ａにおいてタイマー制御により自動的に指定時刻に、省エネに反する照明制御がなされることが抑制され得る。
【０１０８】
（１２）本発明の一態様に係る照明制御方法は、照明装置２００ａ等の点灯状態に係る制御である照明制御のための照明制御方法であって、発生した第１種の制御要因（例えば制御要因Ａ）に応じて照明制御を実行する第１制御ステップ（例えばステップＳ１２）と、第１制御ステップで照明制御を実行してから第１所定時間（優先時間）が経過するまでに発生した第１種の制御要因と異なる第２種の制御要因（例えば制御要因Ｂ）に応じた照明制御の実行をその第１所定時間が経過するまで抑止し、その第１所定時間が経過した際に一定条件下でその第２種の制御要因に応じた照明制御を実行する第２制御ステップ（例えばステップＳ１６〜Ｓ１９、Ｓ１６ａ、Ｓ１７ａ）とを含む。
【０１０９】
これにより、照明装置２００ａ等の点灯状態が、例えば、ユーザ操作によって最も明るい全点灯状態に変化するとその後優先時間の間は、例えば外部装置３０からの制御要求によって照明装置が暗い点灯状態に変化すること等が抑制され得る。このため、例えば、照明装置が故障したかもしれないという不安をユーザが感じる事態の発生が抑制され得る。
【０１１０】
（１３）本発明の一態様に係る制御プログラムは、通信回路及びマイクロプロセッサを備える制御装置１００に、照明装置２００ａ等の点灯状態に係る制御である照明制御のための照明制御処理を実行させるための制御プログラムであって、照明制御処理は、発生した第１種の制御要因（例えば制御要因Ａ）に応じて照明制御を実行する第１制御ステップ（例えばステップＳ１２）と、第１制御ステップで照明制御を実行してから第１所定時間（優先時間）が経過するまでに発生した第１種の制御要因と異なる第２種の制御要因（例えば制御要因Ｂ）に応じた照明制御の実行をその第１所定時間が経過するまで抑止し、その第１所定時間が経過した際に一定条件下でその第２種の制御要因に応じた照明制御を実行する第２制御ステップ（例えばステップＳ１６〜Ｓ１９、Ｓ１６ａ、Ｓ１７ａ）とを含む。
【０１１１】
この制御プログラムを、通信回路及びマイクロプロセッサを備える制御装置１００にインストールすれば、制御装置１００が照明制御処理を行う。この結果として、第１種の制御要因に応じた照明制御の直後に第２種の制御要因に応じた照明制御が実行されることが抑制される。このため、例えばユーザが、照明装置２００ａ等が故障したかもしれないという不安を感じてしまう事態の発生が抑制され得る。
【符号の説明】
【０１１２】
１０、１０ａ  照明制御システム
３０  外部装置
１００  制御装置
１１０  ユーザインタフェース
１２０  通信インタフェース
１３０  計時部
１４０  制御部
２００ａ〜２００ｃ  照明装置
３００  リモコン（リモートコントローラ）
【図１】
2018006281.tif 000003
【図２】
2018006281.tif 000004
【図３】
2018006281.tif 000005
【図４】
2018006281.tif 000006
【図５】
2018006281.tif 000007
【図６】
2018006281.tif 000008
【図７】
2018006281.tif 000009
【図８】
2018006281.tif 000010
【図９】
2018006281.tif 000011